(57)【要約】【課題】保管時に省スペース化を図ることができると共に、組み立て性が良好な保冷箱を提供する。【解決手段】保冷箱１１は、断熱性を有する板状部材を折り曲げて形成される。保冷箱１１は、底板部１３と、底板部１３のそれぞれの辺側から立設する第一の側板部１４、第二の側板部１５、第三の側板部１６、および第四の側板部１７と、所定の肉厚を有し、底板部１３、第一の側板部１４、第二の側板部１５、第三の側板部１６、および第四の側板部１７により囲われる空間１２を覆う天板部１８とを備える。底板部１３には、第一の側板部１４が配置される位置において厚み方向に凹む第一の凹部３７ａが設けられており、第一の側板部１４の底板部１３側の端部には、底板部１３に対して第一の側板部１４が垂直な方向に立設するよう折り曲げた際に、第一の側板部１４の底板部１３に対する立設状態を維持するよう第一の凹部３７ａに嵌め込まれる第一の嵌め込み部３５ａが設けられている。【選択図】図３
2019073326.tif 000002
【特許請求の範囲】
【請求項１】
断熱性を有する板状部材を折り曲げて形成され、折り曲げて形成される空間に保冷用の物体を収容可能な保冷箱であって、
所定の肉厚を有する矩形状の底板部と、
それぞれ所定の肉厚を有し、矩形状の前記底板部のそれぞれの辺側から立設する第一の側板部、第二の側板部、第三の側板部、および第四の側板部と、
所定の肉厚を有し、前記底板部、前記第一の側板部、前記第二の側板部、前記第三の側板部、および前記第四の側板部により囲われる前記空間を覆う天板部とを備え、
前記底板部には、前記第一の側板部が配置される位置において厚み方向に凹む第一の凹部が設けられており、
前記第一の側板部の前記底板部側の端部には、前記底板部に対して前記第一の側板部が垂直な方向に立設するよう折り曲げた際に、前記第一の側板部の前記底板部に対する立設状態を維持するよう前記第一の凹部に嵌め込まれる第一の嵌め込み部が設けられている、保冷箱。
【請求項２】
前記第一の嵌め込み部は、前記第一の側板部の角部に設けられている、請求項１に記載の保冷箱。
【請求項３】
前記第一の側板部は、外方側の面側が前記底板部に連結され、内方側の面側が開放されて、外方側から内方側に折り曲げ可能に前記底板部に取り付けられている、請求項１または請求項２に記載の保冷箱。
【請求項４】
前記第一の側板部と前記第二の側板部とは、対向する位置に配置されており、
前記底板部には、前記第二の側板部が配置される位置において厚み方向に凹む第二の凹部が設けられており、
前記第二の側板部の前記底板部側の端部には、前記底板部に対して前記第二の側板部が垂直な方向に立設するよう折り曲げた際に、前記第二の側板部の前記底板部に対する立設状態を維持するよう前記第二の凹部に嵌め込まれる第二の嵌め込み部が設けられている、請求項１〜請求項３のいずれか１項に記載の保冷箱。
【請求項５】
前記底板部には、前記第一の側板部と前記第二の側板部との間に配置される第三の前記側板部が連なって設けられており、
前記第三の側板部には、前記天板部の少なくとも一部である第一の天板構成部が連なって設けられており、
前記底板部には、前記第一の側板部と前記第二の側板部との間に配置され、前記第三の側板部に対向する前記第四の側板部が連なって設けられており、
前記第四の側板部には、前記天板部の少なくとも一部であって、前記第一の天板構成部と組み合わされて前記天板部を構成する第二の天板構成部が連なって設けられており、
前記第三の側板部と前記底板部との間の第一の境界部を折り曲げ、前記第三の側板部と前記第一の天板構成部との間の第二の境界部を折り曲げ、前記第四の側板部と前記底板部との間の第三の境界部を折り曲げ、前記第四の側板部と前記第二の天板構成部との間の第四の境界部を折り曲げて、前記第一の天板構成部および前記第二の天板構成部とから構成される前記天板部を、前記空間を覆う位置に配置させる、請求項１〜請求項４のいずれか１項に記載の保冷箱。
【請求項６】
前記第一の境界部、前記第二の境界部、前記第三の境界部、および前記第四の境界部のうちの少なくともいずれか一つは、外方側に向かってテーパー状に凹んだ形状である、請求項５に記載の保冷箱。
【請求項７】
前記第一の側板部および前記第二の側板部のうちの少なくともいずれか一方には、前記第一の天板構成部のうちの前記第三の側板部が位置する側と反対側の第一の折り曲げ部および前記第二の天板構成部のうちの前記第四の側板部が位置する側と反対側の第二の折り曲げ部を折り曲げて嵌め込み可能な切り欠き部が設けられている、請求項５または請求項６に記載の保冷箱。
【請求項８】
前記切り欠き部に嵌め込まれ、所定の肉厚を有する板状のスペーサーをさらに備える、請求項７に記載の保冷箱。
【請求項９】
前記スペーサーには、厚み方向に貫通する貫通孔が設けられており、
前記スペーサーは、前記切り欠き部に嵌め込まれた際に、前記底板部に達する形状であり、
前記スペーサーを前記切り欠き部に嵌め込むことにより、前記空間は、前記貫通孔で通ずる二つの領域に仕切られる、請求項８に記載の保冷箱。
【請求項１０】
前記第四の側板部は、前記第一の側板部、前記第二の側板部、および前記第三の側板部のいずれよりも厚く構成されている、請求項１〜請求項９のいずれか１項に記載の保冷箱。
【発明の詳細な説明】
【技術分野】
【０００１】
この発明は、保冷箱に関するものである。
【背景技術】
【０００２】
ケーキや洋菓子等、保冷を要する物体を持ち運んだり保存する時に、保冷容器や保冷箱が用いられる場合がある（たとえば、特許文献１参照）。
【０００３】
特許文献１に開示の保冷容器は、保形性のある外箱と断熱層とからなり、断熱層には紙成分と樹脂成分を含む板状発泡体が用いられている。断熱層は、板状発泡体からなる矩形状の底板と、該底板の４辺に沿って配置された板状発泡体からなる４枚の矩形状の側面板と、底板と４枚の側面板を貼り付けた基材としての可撓性シートにより構成されている。断熱層は、非使用時には平板状に展開可能であり、使用時には容器形状に立ち上げた状態で外箱内に収容される。特許文献１に開示の保冷容器は、このような構成を特徴としている。
【先行技術文献】
【特許文献】
【０００４】
【特許文献１】特開２００７−２９０７６７号公報
【発明の概要】
【発明が解決しようとする課題】
【０００５】
昨今、保冷箱は用いられない状態、すなわち、保冷箱が保管される状態における省スペース化が要求される。このような要求に対し、保冷箱を板状部材から構成し、使用時に組み立てる方式を採用することが考えられる。ここで、クリスマスシーズンや大量のケーキの受注時において、ケーキ等を保冷箱に収容するスピードが求められる場合がある。このような場合、板状部材の組み立て中に一定の形態を維持することができれば、内部の空間に収容されるケーキを保護しながら、ケーキ等を迅速に保冷箱内に収容することができる。特許文献１に開示の技術では、このような場合に対応することが困難である。
【０００６】
この発明の目的は、保管時に省スペース化を図ることができると共に、組み立て性が良好な保冷箱を提供することである。
【課題を解決するための手段】
【０００７】
この発明に係る保冷箱は、断熱性を有する板状部材を折り曲げて形成され、折り曲げて形成される空間に保冷用の物体を収容可能である。保冷箱は、所定の肉厚を有する矩形状の底板部と、それぞれ所定の肉厚を有し、矩形状の底板部のそれぞれの辺側から立設する第一の側板部、第二の側板部、第三の側板部、および第四の側板部と、所定の肉厚を有し、底板部、第一の側板部、第二の側板部、第三の側板部、および第四の側板部により囲われる空間を覆う天板部とを備える。底板部には、第一の側板部が配置される位置において厚み方向に凹む第一の凹部が設けられている。第一の側板部の底板部側の端部には、底板部に対して第一の側板部が垂直な方向に立設するよう折り曲げた際に、第一の側板部の底板部に対する立設状態を維持するよう第一の凹部に嵌め込まれる第一の嵌め込み部が設けられている。
【０００８】
このような構成の保冷箱によれば、断熱性を有する板状部材から構成されているため、保管時においては、板状に広げて、例えば、複数枚を重ねて保管することができる。したがって、保管時における省スペース化を図ることができる。また、保冷箱を組み立てる際に、第一の嵌め込み部を第一の凹部に嵌め込んだ状態とし、底板部に対して第一の側板部を立設させた状態とすることができる。そうすると、底板部に対して第一の側板部を立設させた一定の形態を維持することができ、空間に収容された保冷用の物体を保護することができる。また、この場合、他の側板部側から、保冷用の物体を円滑に内部の空間に収容させることができる。したがって、このような保冷箱は、保管時に省スペース化を図ることができると共に、組み立て性が良好である。
【０００９】
上記保冷箱において、第一の嵌め込み部は、第一の側板部の角部に設けられていてもよい。こうすることにより、第一の嵌め込み部を容易に設けることができ、作業性を向上させることができる。
【００１０】
上記保冷箱において、第一の側板部は、外方側の面側が底板部に連結され、内方側の面側が開放されて、外方側から内方側に折り曲げ可能に底板部に取り付けられていてもよい。こうすることにより、組み立て性をより良好にすることができると共に、保冷箱を板状部材として保管する際に、適切に平板状とすることができる。
【００１１】
上記保冷箱において、第一の側板部と第二の側板部とは、対向する位置に配置されており、底板部には、第二の側板部が配置される位置において厚み方向に凹む第二の凹部が設けられており、第二の側板部の底板部側の端部には、底板部に対して第二の側板部が垂直な方向に立設するよう折り曲げた際に、第二の側板部の底板部に対する立設状態を維持するよう第二の凹部に嵌め込まれる第二の嵌め込み部が設けられているよう構成してもよい。こうすることにより、対向する第一の側板部および第二の側板部を立設させた状態として、保冷用の物体を空間に収容することができる。したがって、このような状態において、保冷用の物体を適切に保持させることができる。すなわち、空間を覆う天板部を配置しない状態において、第一の側板部および第二の側板部により、外部からの衝突や変形を防止することができる。
【００１２】
上記保冷箱において、底板部には、第一の側板部と第二の側板部との間に配置される第三の側板部が連なって設けられており、第三の側板部には、天板部の少なくとも一部である第一の天板構成部が連なって設けられており、底板部には、第一の側板部と第二の側板部との間に配置され、第三の側板部に対向する第四の側板部が連なって設けられており、第四の側板部には、天板部の少なくとも一部であって、第一の天板構成部と組み合わされて天板部を構成する第二の天板構成部が連なって設けられている構成とする。そして、第三の側板部と底板部との間の第一の境界部を折り曲げ、第三の側板部と第一の天板構成部との間の第二の境界部を折り曲げ、第四の側板部と底板部との間の第三の境界部を折り曲げ、第四の側板部と第二の天板構成部との間の第四の境界部を折り曲げて、第一の天板構成部および第二の天板構成部とから構成される天板部を、空間を覆う位置に配置させる。このような構成としてもよい。こうすることにより、より適切に保冷箱を組み立てることができる。
【００１３】
上記保冷箱において、第一の境界部、第二の境界部、第三の境界部、および第四の境界部のうちの少なくともいずれか一つは、外方側に向かってテーパー状に凹んだ形状であってもよい。こうすることにより、折り曲げ時において、所定の肉厚を有する第三の側板部と第一の天板構成部等の干渉を防止して、組み立てられた保冷箱の隙間を低減することができる。
【００１４】
上記保冷箱において、第一の側板部および第二の側板部のうちの少なくともいずれか一方には、第一の天板構成部のうちの第三の側板部が位置する側と反対側の第一の折り曲げ部および第二の天板構成部のうちの第四の側板部が位置する側と反対側の第二の折り曲げ部を折り曲げて嵌め込み可能な切り欠き部が設けられていてもよい。こうすることにより、第一の天板構成部と第二の天板構成部を適切に保持して、空間の密封状況を適切に維持することができる。
【００１５】
上記保冷箱において、切り欠き部に嵌め込まれ、所定の肉厚を有する板状のスペーサーをさらに備える構成としてもよい。こうすることにより、より確実に空間の密封状態を維持することができると共に、切り欠き部に嵌め込まれた第一の折り曲げ部および第二の折り曲げ部の切り欠き部からの脱落を防止することができる。
【００１６】
上記保冷箱において、スペーサーには、厚み方向に貫通する貫通孔が設けられており、スペーサーは、切り欠き部に嵌め込まれた際に、底板部に達する形状であり、スペーサーを切り欠き部に嵌め込むことにより、空間は、貫通孔で通ずる二つの領域に仕切られるようにしてもよい。こうすることにより、例えば、空間において、保冷用の物体が配置される領域と、保冷剤が配置される領域とを離隔して設けることができる。この場合、貫通孔が設けられる構成であるため、保冷用の物体に対する保冷性を高めることができる。
【００１７】
上記保冷箱において、第四の側板部は、第一の側板部、第二の側板部、および第三の側板部のいずれよりも厚く構成されていてもよい。こうすることにより、保冷剤を第四の側板部側に配置させた際に、保冷剤の保冷機能をより長く維持させることができる。
【発明の効果】
【００１８】
このような保冷箱によると、保管時に省スペース化を図ることができると共に、その内部に保冷用の物体を収容する際に組み立て性が良好であり、速やかにその空間に保冷用の物体を収容することができる。
【図面の簡単な説明】
【００１９】
【図１】この発明の一実施形態に係る保冷箱の斜視図である。
【図２】図１に示す保冷箱を側面側から見た図である。
【図３】保冷箱を組み立てる前の展開図である。
【図４】第一の側板部１４を横側から見た状態を示す図である。
【図５】図３中のＶの領域で示す第一の嵌め込み部付近を拡大して示す斜視図であり、底板部に対して第一の側板部を立設する前の状態を示す。
【図６】図３中のＶの領域で示す第一の嵌め込み部付近を拡大して示す斜視図であり、底板部に対して第一の側板部を立設した後の状態を示す。
【図７】スペーサーの外観を示す図である。
【図８】第一の側板部および第二の側板部を立設した状態を平面的に見た図である。
【図９】第一の側板部および第二の側板部を立設した状態を示す斜視図である。
【図１０】第一の側板部および第二の側板部の間にスペーサーを取り付けた状態を示す図である。
【図１１】第二の折り曲げ部を折り曲げて第一の切り欠き部および第二の切り欠き部に嵌め込んだ状態の一部を示す斜視図である。
【図１２】第二の折り曲げ部を折り曲げて第一の切り欠き部および第二の切り欠き部に嵌め込んだ状態を平面的に見た図である。
【図１３】空間の第二の領域に保冷剤を収容させた状態を示す斜視図である。
【図１４】保冷箱の保管時の状態の一例を示す図である。
【図１５】この発明の他の実施形態に係る保冷箱に備えられるスペーサーの外観を示す図である。
【発明を実施するための形態】
【００２０】
次に、この発明の一実施形態に係る保冷箱の構成について説明する。以下の図面において同一または相当する部分には同一の参照番号を付しその説明は繰返さない。図１は、この発明の一実施形態に係る保冷箱の斜視図である。図２は、図１に示す保冷箱を側面側から見た図である。図２は、図１中の矢印Ｙで示す向きから見た図に相当する。図３は、保冷箱を組み立てる前の展開図である。
【００２１】
図１〜図３を参照して、この発明の一実施形態に係る保冷箱１１は、断熱性を有する板状部材を折り曲げて形成される。具体的には、保冷箱１１は、所定の厚みを有する一枚の板状部材を折り曲げて形成される。保冷箱１１の材質は、主に発泡ポリスチレン樹脂であり、多少の弾性変形が可能である。保冷箱１１の外方面および内方面には、主に紙が貼付されている。保冷箱１１は、組み立てられた後において、おおよそ直方体形状である。保冷箱１１は、その内部の空間１２に保冷用の物体、例えば、ケーキや洋菓子を収容可能である。保冷箱１１のＸ軸方向で示す横方向の長さは長さＬ１で示され、保冷箱１１のＹ軸方向で示す縦方向の長さは長さＬ２で示され、保冷箱１１のＺ軸方向で示す高さ方向の長さは長さＬ３で示される。
【００２２】
保冷箱１１は、底板部１３と、第一の側板部１４と、第二の側板部１５と、第三の側板部１６と、第四の側板部１７と、天板部１８と、スペーサー１９とを備える。天板部１８は、第一の天板構成部２１ａと、第二の天板構成部２１ｂとから構成される。第一の天板構成部２１ａは、第二の天板構成部２１ｂよりも大きく構成されている。底板部１３、第一の側板部１４、第二の側板部１５、第三の側板部１６、第四の側板部１７、および天板部１８は、一つの板状部材で構成されている。具体的には、底板部１３、第三の側板部１６、第四の側板部、第一の天板構成部２１ａ、第二の天板構成部２１ｂ、後述する第一の折り曲げ部２８ａ、同じく後述する第二の折り曲げ部２８ｂから構成される一枚の板状部材において、底板部１３の部分に第一の側板部１４、および第二の側板部１５を取り付けた構成である。底板部１３、第一の側板部１４、第二の側板部１５、第三の側板部１６、第四の側板部１７、第一の天板構成部２１ａ、第二の天板構成部２１ｂ、第一の折り曲げ部２８ａ、および第二の折り曲げ部２８ｂは、後述する第一の境界部２３ａ等の境界の部分を除いて、基本的に同じ厚みを有する。一方、スペーサー１９は、底板部１３等と別体である。スペーサー１９の構成については、後述する。
【００２３】
底板部１３は、矩形状であって、平板状である。すなわち、Ｚ軸方向から見た場合に、平面的に見て矩形状である。底板部１３には、矩形状の各辺に対応する領域において、第一の側板部１４、第二の側板部１５、第三の側板部１６、および第四の側板部１７がそれぞれ設けられている。
【００２４】
特に図３を参照して、矩形状の底板部１３のうちの第一の辺２２ａ側には、第一の側板部１４が設けられる。底板部１３のうちの第一の辺２２ａの対辺である第二の辺２２ｂ側には、第二の側板部１５が設けられる。第一の側板部１４および第二の側板部１５はそれぞれ、底板部１３の第一の辺２２ａおよび第二の辺２２ｂからやや内方側、すなわち、空間１２が位置する領域に設けられている。第一の辺２２ａおよび第二の辺２２ｂのそれぞれと垂直な方向に延びる第三の辺２２ｃには、第三の辺２２ｃに連なって第三の側板部１６が設けられる。第三の辺２２ｃの対辺である第四の辺２２ｄには、第四の辺２２ｄに連なって第四の側板部１７が設けられる。
【００２５】
底板部１３と第三の側板部１６との境界の領域に位置する第一の境界部２３ａは、外方側に向かって厚みを減ずるようテーパー状に凹んだ形状である。具体的には、底板部１３および第三の側板部１６は、内方面側から外方面に位置する第三の辺２２ｃに向かって傾斜してそれぞれ肉厚が薄くなるよう形成されている。すなわち、第一の境界部２３ａの内方側の面には、紙が貼付されておらず、底板部１３と第三の側板部１６とは、第三の辺２２ｃの領域において、外方側の面に貼付された紙の部分で連結されている構成である。傾斜の角度は、それぞれ４５°である。なお、底板部１３と第四の側板部１７との関係も同様である。すなわち、底板部１３と第四の側板部１７との境界の領域に位置する第二の境界部２３ｂは、外方側に向かって厚みを減ずるようテーパー形に凹んだ形状である。底板部１３および第四の側板部１７は、内方面側から外方面に位置する第四の辺２２ｄに向かって傾斜してそれぞれ肉厚が薄くなるよう形成されている。第二の境界部２３ｂの内方側の面には、紙が貼付されておらず、底板部１３と第四の側板部１７についても、第四の辺２２ｄの領域において、外方側の面に貼付された紙の部分で連結されている。このように構成することにより、保冷箱１１を組み立てた際に、底板部１３に対して第三の側板部１６および第四の側板部１７を垂直に立設することができ、保冷箱１１を組み立てた際の隙間の発生を防止して、保冷箱１１の空間１２の密封性を高くすることができる。
【００２６】
第三の側板部１６には、底板部１３に対して第三の側板部１６を立設した状態とした時に、同じく第一の側板部１４および第二の側板部１５を底板部１３に対して立設した際に干渉する位置に、厚み方向に凹んだ一対の第一の溝部２４ａ、２４ｂが設けられている。第一の溝部２４ａ、２４ｂは、図１および図２に示す状態において、Ｚ軸方向に延びるように設けられている。第一の側板部１４、第二の側板部１５、および第三の側板部１６を底板部１３に対して立設した状態とした時に、第一の側板部１４、および第二の側板部１５のそれぞれの第三の側板部１６側の端部２５ａ、２５ｂを第一の溝部２４ａ、２４ｂに嵌め込むことができる。こうすることにより、保冷箱１１の組み立て時において、第一の側板部１４、および第二の側板部１５と第三の側板部１６との干渉を防止して、保冷箱１１の空間１２の密封性を高くすることができる。
【００２７】
同様に、第四の側板部１７には、底板部１３に対して第四の側板部１７を立設した状態とした時に、同じく第一の側板部１４および第二の側板部１５を底板部１３に対して立設した際に干渉する位置に、厚み方向に凹んだ一対の第二の溝部２４ｃ、２４ｄが設けられている。第二の溝部２４ｃ、２４ｄはそれぞれ、図１および図２に示す状態において、Ｚ軸方向に延びるように設けられている。第一の側板部１４、第二の側板部１５、および第四の側板部１７を底板部１３に対して立設した状態とした時に、第一の側板部１４、および第二の側板部１５のそれぞれの第四の側板部１７側の端部２５ｃ、２５ｄを第二の溝部２４ｃ、２４ｄに嵌め込むことができる。こうすることにより、保冷箱１１の組み立て時において、第一の側板部１４、および第二の側板部１５と第四の側板部１７との干渉を防止して、保冷箱１１の空間１２の密封性を高くすることができる。
【００２８】
第三の側板部１６には、第一の天板構成部２１ａが設けられている。第一の天板構成部２１ａは、第三の側板部１６のうち、底板部１３が位置する側と反対側の位置に連なって設けられている。第三の側板部１６と第一の天板構成部２１ａとの境界の領域に位置する第三の境界部２３ｃについても、第一の境界部２３ａ、および第二の境界部２３ｂと同様に、外方側に向かって厚みを減ずるようテーパー状に凹んだ形状である。また、第三の境界部２３ｃの内方側の面には、紙が貼付されておらず、第三の側板部１６と第一の天板構成部２１ａとは、外方側の面に貼付された紙の部分で連結されている構成である。このように構成することにより、保冷箱１１の組み立て時において、第三の側板部１６に対して第一の天板構成部２１ａを垂直な方向に折り曲げることができ、保冷箱１１を組み立てた際の隙間の発生を防止して、保冷箱１１の空間１２の密封性を高くすることができる。
【００２９】
第一の天板構成部２１ａには、保冷箱１１の組み立て時において、第一の天板構成部２１ａを第三の側板部１６に垂直な方向となるよう折り曲げた際に、第一の側板部１４のうちの底板部１３と反対側に位置する端部２６ａ、および第二の側板部１５のうちの底板部１３と反対側に位置する端部２６ｂと干渉する位置に、厚み方向に凹んだ一対の第三の溝部２７ａ、２７ｂが設けられている。第三の溝部２７ａ、２７ｂはそれぞれ、図１および図２に示す状態において、Ｘ軸方向に延びるように設けられている。第一の側板部１４、および第二の側板部１５を底板部１３に対して立設した状態とした時に、第一の側板部１４、および第二の側板部１５のそれぞれの端部２６ａ、２６ｂを第三の溝部２７ａ、２７ｂに嵌め込むことができる。こうすることにより、保冷箱１１の組み立て時において、第一の側板部１４、および第二の側板部１５との第一の天板構成部２１ａとの干渉を防止して、保冷箱１１の空間１２の密封性を高くすることができる。
【００３０】
第一の天板構成部２１ａには、第一の折り曲げ部２８ａが設けられている。第一の折り曲げ部２８ａは、第一の天板構成部２１ａのうち、第三の側板部１６が位置する側と反対側の位置に連なって設けられている。第一の天板構成部２１ａと第一の折り曲げ部２８ａとの境界の領域に位置する第四の境界部２３ｄについても、第一の境界部２３ａ等と同様に、外方側に向かって厚みを減ずるようテーパー状に凹んだ形状である。また、第四の境界部２３ｄの内方側の面には、紙が貼付されておらず、第一の天板構成部２１ａと第一の折り曲げ部２８ａとは、外方側の面に貼付された紙の部分で連結されている構成である。このように構成することにより、保冷箱１１の組み立て時において、第一の天板構成部２１ａに対して第一の折り曲げ部２８ａを垂直な方向に折り曲げることができ、保冷箱１１を組み立てた際の隙間の発生を防止して、保冷箱１１の空間１２の密封性を高くすることができる。
【００３１】
第一の折り曲げ部２８ａには、保冷箱１１の組み立て時において、第一の折り曲げ部２８ａを第一の天板構成部２１ａに垂直な方向となるよう折り曲げた際に、後述する第一の側板部１４に設けられた第一の切り欠き部３１ａ、および第二の側板部１５に設けられた第二の切り欠き部３１ｂと干渉する位置に、厚み方向に凹んだ一対の第四の溝部３２ａ、３２ｂが設けられている。第四の溝部３２ａ、３２ｂはそれぞれ、図１および図２に示す状態において、Ｚ軸方向に延びるように設けられている。第一の側板部１４、および第二の側板部１５を底板部１３に対して立設した状態とした時に、第一の切り欠き部３１ａ、および第二の切り欠き部３１ｂのそれぞれを第四の溝部３２ａ、３２ｂに嵌め込むことができる。こうすることにより、保冷箱１１の組み立て時において、第一の切り欠き部３１ａ、および第二の切り欠き部３１ｂに第四の溝部３２ａ、３２ｂをそれぞれ嵌め込んで、適切に第一の折り曲げ部２８ａを第一の切り欠き部３１ａ、および第二の切り欠き部３１ｂに保持させることができる。
【００３２】
第四の側板部１７には、第二の天板構成部２１ｂが設けられている。第二の天板構成部２１ｂは、第四の側板部１７のうち、底板部１３が位置する側と反対側の位置に連なって設けられている。第四の側板部１７と第二の天板構成部２１ｂとの境界の領域に位置する第五の境界部２３ｅについても、第一の境界部２３ａ等と同様に、外方側に向かって厚みを減ずるようテーパー状に凹んだ形状である。また、第五の境界部２３ｅの内方側の面には、紙が貼付されておらず、第四の側板部１７と第二の天板構成部２１ｂとは、外方側の面に貼付された紙の部分で連結されている構成である。このように構成することにより、保冷箱１１の組み立て時において、第四の側板部１７に対して第二の天板構成部２１ｂを垂直な方向に折り曲げることができ、保冷箱１１を組み立てた際の隙間の発生を防止して、保冷箱１１の空間１２の密封性を高くすることができる。
【００３３】
第二の天板構成部２１ｂには、保冷箱１１の組み立て時において、第二の天板構成部２１ｂを第四の側板部１７に垂直な方向となるよう折り曲げた際に、第一の側板部１４のうちの底板部１３と反対側に位置する端部２６ａ、および第二の側板部１５のうちの底板部１３と反対側に位置する端部２６ｂと干渉する位置に、厚み方向に凹んだ一対の第五の溝部３３ａ、３３ｂが設けられている。第五の溝部３３ａ、３３ｂはそれぞれ、図１および図２に示す状態において、Ｘ軸方向に延びるように設けられている。第一の側板部１４、および第二の側板部１５を底板部１３に対して立設された状態とした時に、第一の側板部１４、および第二の側板部１５のそれぞれの端部２６ａ、２６ｂを第五の溝部３３ａ、３３ｂに嵌め込むことができる。こうすることにより、保冷箱１１の組み立て時において、第一の側板部１４、および第二の側板部１５との第二の天板構成部２１ｂとの干渉を防止して、保冷箱１１の空間１２の密封性を高くすることができる。
【００３４】
第二の天板構成部２１ｂには、第二の折り曲げ部２８ｂが設けられている。第二の折り曲げ部２８ｂは、第二の天板構成部２１ｂのうち、第四の側板部１７が位置する側と反対側の位置に連なって設けられている。第二の天板構成部２１ｂと第二の折り曲げ部２８ｂとの境界の領域に位置する第六の境界部２３ｆについても、第一の境界部２３ａ等と同様に、外方側に向かって厚みを減ずるようテーパー状に凹んだ形状である。また、第六の境界部２３ｆの内方側の面には、紙が貼付されておらず、第二の天板構成部２１ｂと第二の折り曲げ部２８ｂは、外方側の面に貼付された紙の部分で連結されている構成である。このように構成することにより、保冷箱１１の組み立て時において、第二の天板構成部２１ｂに対して第二の折り曲げ部２８ｂを垂直な方向に折り曲げることができ、保冷箱１１を組み立てた際の隙間の発生を防止して、保冷箱１１の空間１２の密封性を高くすることができる。
【００３５】
第二の折り曲げ部２８ｂには、保冷箱１１の組み立て時において、第二の折り曲げ部２８ｂを第二の天板構成部２１ｂに垂直な方向となるよう折り曲げた際に、第一の側板部１４に設けられた第一の切り欠き部３１ａ、および第二の側板部１５に設けられた第二の切り欠き部３１ｂと干渉する位置に、厚み方向に凹んだ一対の第六の溝部３４ａ、３４ｂが設けられている。第六の溝部３４ａ、３４ｂはそれぞれ、図１および図２に示す状態において、Ｚ軸方向に延びるように設けられている。第一の側板部１４、および第二の側板部１５を底板部１３に対して立設された状態とした時に、第一の切り欠き部３１ａ、および第二の切り欠き部３１ｂのそれぞれを第六の溝部３４ａ、３４ｂに嵌め込むことができる。こうすることにより、保冷箱１１の組み立て時において、第一の切り欠き部３１ａ、および第二の切り欠き部３１ｂに第六の溝部３４ａ、３４ｂをそれぞれ嵌め込んで、適切に第二の折り曲げ部２８ｂを第一の切り欠き部３１ａ、および第二の切り欠き部３１ｂに保持させることができる。
【００３６】
次に、第一の側板部１４の構成、および底板部１３への第一の側板部１４の取り付け状態の詳細について説明する。図４は、第一の側板部１４を横側、具体的には、図１中の矢印Ｙで示す向きから見た状態を示す図である。図４は、第一の側板部１４を厚み方向から見た図に相当する。また、図４中の矢印Ｚで示す向きと反対側に底板部１３が配置される構成である。
【００３７】
図４を参照して、第一の側板部１４は、略矩形状である。第一の側板部１４のうち、底板部１３が設けられる側の端部には、底板部１３に取り付けられた際に、底板部１３側に突出するようにして設けられる第一の嵌め込み部３５ａが設けられている。第一の嵌め込み部３５ａは、例えば、端部２５ａ、２５ｃ、２６ａ、２６ｃで囲われる一枚の略矩形状の板状部材について、第四の側板部１７が配置される端部２５ｃ側であって、矢印Ｘで示す向きと反対側の最も端部である角部を残し、他の破線部分で示される部材３６ａを切り取るようにして形成される。すなわち、第一の嵌め込み部３５ａは、Ｘ軸方向の最も端部に設けられる。部材３６ａを切り取った後に、第一の側板部１４の矢印Ｚで示す向きと逆の向き側には、端部３６ｂが表れる。
【００３８】
第一の側板部１４には、端部２６ａから内方側、この場合、矢印Ｚで示す向きと逆の向きである端部２６ｃ側に凹む第一の切り欠き部３１ａが設けられている。第一の切り欠き部３１ａは、第一の側板部１４において、Ｘ軸方向の中央よりも第四の側板部１７が設けられた位置側に設けられている。第一の切り欠き部３１ａは、Ｘ軸方向の中央部分が最も切り欠くように、すなわち、Ｘ軸方向の中央部分が端部２６ｃ側に向かって最も凹むように設けられている。
【００３９】
なお、第二の側板部１５にも第一の側板部１４と同様に、第二の側板部１５のうち、底板部１３が設けられる側の端部に、底板部１３側に突出するようにして第二の嵌め込み部３５ｂが設けられている。また、第二の側板部１５には、端部２６ｂから内方側に凹む第二の切り欠き部３１ｂが設けられている（特に図３参照）。
【００４０】
次に、第一の側板部１４の底板部１３への取り付け状態について説明する。図５および図６は、図３中のＶの領域で示す第一の嵌め込み部３５ａ付近を拡大して示す斜視図である。図５は、底板部１３に対して第一の側板部１４を立設する前の状態を示す図であり、図６は、底板部１３に対して第一の側板部１４を立設した後の状態を示す図である。
【００４１】
併せて図５および図６を参照して、底板部１３には、厚み方向に肉厚を減じた形状の第一の凹部３７ａが設けられている。また、底板部１３のうち、第一の凹部３７ａのＸ軸方向の横側には、底板部１３の厚み方向に隆起する第一の隆起部３８ａが設けられている。第一の隆起部３８ａは、例えば、以下のようにして形成される。すなわち、第一の隆起部３８ａは、底板部１３において、第一の凹部３７ａを含んでＸ軸方向に延びる溝状に凹んだ部分をまず設け、第一の凹部３７ａを残して溝状に凹んだ他の部分を上記した第一の側板部１４の形成時に得られた部材３６ａを埋め込んで底板部１３と一体化させることにより形成される。この場合、第一の嵌め込み部３５ａのＺ軸方向の突出量は、第一の凹部３７ａのＺ軸方向の凹み量と底板部１３の内方側の面２９からの第一の隆起部３８ａのＺ軸方向の突出量を合わせた量となる。第一の側板部１４は、第一の隆起部３８ａのうちの外方側に位置する部分３９ａと第一の側板部１４のうちの底板部１３側の端部３６ｂの外方側に位置する部分とを連結するようにして取り付けられている。この場合、第一の側板部１４の外方側の面と底板部１３のうちの第一の側板部１４よりも外側に位置する面とを同じ紙により貼付して、紙により底板部１３と第一の側板部１４とを連結している構成である。こうすることにより、底板部１３と第一の側板部１４とを連結する部分３９ａを支点として、第一の側板部１４は、底板部１３に対して所定の角度回転させることができる。この場合、連結する部分３９ａを支点として矢印Ｒ１で示す方向に第一の側板部１４を折り曲げることができる。
【００４２】
ここで、第一の側板部１４を矢印Ｒ１で示す方向に立ち上げる際に、第一の嵌め込み部３５ａの先端部が底板部１３の内方側の面２９に接触することとなるが、さらに矢印Ｒ１で示す方向に立ち上げていくと、底板部１３の弾性変形により、第一の側板部１４を底板部１３に垂直な方向に立設させた際に、底板部１３に設けられた第一の凹部３７ａ内に第一の嵌め込み部３５ａが嵌め込まれた状態となる。このようにして嵌め込むことにより、図６に示すように底板部１３に対して第一の側板部１４は立設した状態となる。この場合、第一の凹部３７ａに第一の嵌め込み部３５ａが嵌め込まれているため、第一の側板部１４が矢印Ｒ１で示す向きと逆の向きに倒れようとしても、第一の嵌め込み部３５ａと第一の凹部３７ａを構成する壁とが引っ掛かり、第一の側板部１４が倒れることはない。このようにして、底板部１３に対する第一の側板部１４のいわゆる自立状態を維持することができる。なお、保冷箱１１を図３に示す平板状にする場合には、矢印Ｒ１で示す向きと逆の向きに力を入れて倒すことにより、第一の嵌め込み部３５ａにおける第一の凹部３７ａへの嵌め込み状態を解除して、平板状とすることができる。なお、このような構成、および動作については、第二の側板部１５についても同様である。すなわち、底板部１３には、第二の凹部３７ｂおよび第二の隆起部３８ｂが設けられており、保冷箱１１の組み立て時には、第一の嵌め込み部３５ａの場合と同様に、第二の嵌め込み部３５ｂが第二の凹部３７ｂに嵌め込まれることとなる。
【００４３】
次に、上記したスペーサー１９の構成について説明する。図７は、スペーサー１９の外観を示す図である。図７中の矢印Ｙおよび矢印Ｚについては、保冷箱１１にスペーサー１９が取り付けられた状態における向きを示している。図７を参照して、スペーサー１９は、一枚の板状の部材から構成されている。スペーサー１９の肉厚は、上記した底板部１３等と同等である。スペーサー１９の外形形状は、略矩形状である。スペーサー１９は、Ｙ軸方向で示す幅方向の両端側に位置する一対の爪部４１ａ、４１ｂを含む。爪部４１ａ、４１ｂとスペーサー１９の本体部４２との間には、それぞれＺ軸方向に凹んだスペーサー切り欠き部４３ａ、４３ｂが設けられる。爪部４１ａ、４１ｂは、矢印Ｚで示す向きと逆の向きに延びるように設けられている。スペーサー１９には、本体部４２の中央、すなわち、Ｙ軸方向およびＺ軸方向の中央において厚み方向に貫通する貫通孔４４が設けられている。貫通孔４４を構成する壁は、矩形状であり、厚み方向に真っ直ぐ打ち抜かれた形状である。スペーサー１９には、矢印Ｚで示す向きと反対側に位置する端部において、Ｙ軸方向に所定の間隔をあけて本体部４２側に凹んだ２つのスペーサー凹部４５ａ、４５ｂが設けられている。なお、図７中の長さＬ４で示すスペーサー１９のＺ軸方向の長さは、図１および図２中に示す保冷箱１１のＺ軸方向の長さＬ３から底板部１３の厚み分を減じた長さに相当する。
【００４４】
次に、この発明の一実施形態に係る保冷箱１１の組み立ての手順について説明する。まず、図３に示す板状部材から、第一の側板部１４および第二の側板部１５を、底板部１３に対して立設させる。この場合、上記したように、第一の側板部１４に設けられた第一の嵌め込み部３５ａを底板部１３に設けられた第一の凹部３７ａに嵌め込み、第二の側板部１５に設けられた第二の嵌め込み部３５ｂを底板部１３に設けられた第二の凹部３７ｂに嵌め込んで第一の側板部１４および第二の側板部１５を立設させる。
【００４５】
図８は、第一の側板部１４および第二の側板部１５を立設した状態を平面的に見た図である。図８は、図３に相当し、図１中の矢印Ｚで示す向きと反対の向きから見た図である。図９は、第一の側板部１４および第二の側板部１５を立設した状態を示す斜視図である。併せて図８および図９を参照して、第一の側板部１４および第二の側板部１５を立設した状態とした際、第一の切り欠き部３１ａおよび第二の切り欠き部３１ｂは、第一の側板部１４および第二の側板部１５の上側、すなわち、矢印Ｚで示す向き側に位置することとなる。なお、この状態において、第一の側板部１４および第二の側板部１５は、底板部１３に対して自立して立設した状態である。保冷箱１１は、このような一定の形態を維持することができる。すなわち、第一の側板部１４および第二の側板部１５が倒れることはない。
【００４６】
次に、第一の切り欠き部３１ａおよび第二の切り欠き部３１ｂに、スペーサー１９に設けられた一対の爪部４１ａ、４１ｂを引っ掛けて、第一の側板部１４および第二の側板部１５の間にスペーサー１９を取り付ける。この場合、一対のスペーサー切り欠き部４３ａ、４３ｂを第一の切り欠き部３１ａ、第二の切り欠き部３１ｂの双方の最も凹んだ部分に引っ掛けてスペーサー１９を取り付ける。
【００４７】
図１０は、第一の側板部１４および第二の側板部１５の間にスペーサー１９を取り付けた状態を示す図である。図９に示す状態では、第一の側板部１４の端部２６ａ側および第二の側板部１５の端部２６ｂ側は共に、いわゆる自由端となっているが、図１０を参照して、第一の側板部１４および第二の側板部１５の間にスペーサー１９を取り付けることにより、第一の側板部１４と第二の側板部１５とのＹ軸方向の間隔を適切に保つことができる。したがって、より安定して第一の側板部１４および第二の側板部１５を立設した状態とすることができる。また、スペーサー１９により、保冷箱１１の内部の空間１２を第一の領域４６ａ、および第二の領域４６ｂに仕切ることができる。この場合、貫通孔４４、スペーサー凹部４５ａ、４５ｂにより、第一の領域４６ａと第二の領域４６ｂとの間において、空気が流通する。
【００４８】
次に、第二の境界部２３ｂを折り目として第四の側板部１７を折り曲げつつ、第五の境界部２３ｅを折り目として第二の天板構成部２１ｂを折り曲げながら、第六の境界部２３ｆを折り目として第二の折り曲げ部２８ｂを折り曲げ、第一の切り欠き部３５ａ、および第二の切り欠き部３５ｂに第二の折り曲げ部２８ｂを嵌め込む。この場合、スペーサー１９と第一の切り欠き部３５ａを構成する壁との間、およびスペーサー１９と第二の切り欠き部３５ｂを構成する壁との間に、第二の折り曲げ部２８ｂを差し込むようにして嵌め込む。ここで、第四の側板部１７に設けられた第二の溝部２４ｃに第一の側板部１４の端部２５ｃを嵌め込み、第四の側板部１７に設けられた第二の溝部２４ｄに第二の側板部１５の端部２５ｄを嵌め込むようにする。また、第二の天板構成部２１ｂに設けられた第五の溝部３３ａに第一の側板部１４の端部２６ａの一部を嵌め込み、第二の天板構成部２１ｂに設けられた第五の溝部３３ｂに第二の側板部１５の端部２６ｂの一部を嵌め込むようにする。また、第二の折り曲げ部２８ｂに設けられた第六の溝部３４ａに第一の側板部１４に設けられた第一の切り欠き部３１ａを構成する壁の一部を嵌め込み、第二の折り曲げ部２１ｂに設けられた第六の溝部３４ｂに第二の側板部１５に設けられた第二の切り欠き部３１ｂを構成する壁の一部を嵌め込むようにする。こうすることにより、第一の側板部１４および第二の側板部１５のそれぞれと、第四の側板部１７、第二の天板構成部２１ｂ、および第二の折り曲げ部２８ｂとの間における密封性を高くすることができる。
【００４９】
図１１は、第二の折り曲げ部２８ｂを折り曲げて第一の切り欠き部３１ａおよび第二の切り欠き部３１ｂに嵌め込んだ状態の一部を示す斜視図である。図１２は、第二の折り曲げ部２８ｂを折り曲げて第一の切り欠き部３１ａおよび第二の切り欠き部３１ｂに嵌め込んだ状態を平面的に見た図である。併せて図１１および図１２を参照して、第二の折り曲げ部２８ｂを折り曲げて第一の切り欠き部３１ａおよび第二の切り欠き部３１ｂに嵌め込んでいるため、第一の側板部１４と第二の側板部１５とのＹ軸方向の間隔をより適切に保って、第一の側板部１４および第二の側板部１５の立設状態をより安定して維持することができる。この場合、第二の領域４６ｂについては、底板部１３の一部、第一の側板部１４の一部、第二の側板部１５の一部、第四の側板部１７、スペーサー１９、および第二の天板構成部２１ｂにより囲まれることとなる。
【００５０】
なお、このような状態、すなわち、組み立て中に図１１および図１２に示す一定の形態を維持して、保冷箱１１の内部の空間１２、具体的には、第一の領域４６ａに保冷用の物体を収容させることができる。例えば、図１２に示すように、保冷箱１１の内部の空間１２に保冷用の物体、本実施形態では、皿に載せられたケーキ４７を配置させることができる。この場合、第三の側板部１６側が開放された状態であるため、第三の側板部１６側から、図１２中の矢印Ｄ１で示す向きに第三の側板部１６の内方側の面から滑らせるようにして、空間１２の第一の領域４６ａにケーキ４７を配置させることができる。
【００５１】
このようにしてケーキ４７を空間１２の第一の領域４６ａに配置させた後、空間１２を覆うようにする。具体的には、第一の境界部２３ａを折り目として第三の側板部１６を折り曲げつつ、第三の境界部２３ｃを折り目として第一の天板構成部２１ａを折り曲げながら、第四の境界部２３ｄを折り目として第一の折り曲げ部２８ａを折り曲げ、第一の切り欠き部３５ａ、および第二の切り欠き部３５ｂに第一の折り曲げ部２８ａを嵌め込む。この場合、スペーサー１９と第一の切り欠き部３５ａを構成する壁との間、およびスペーサー１９と第二の切り欠き部３５ｂを構成する壁との間に、第一の折り曲げ部２８ａを差し込むようにして嵌め込む。ここで、第三の側板部１６に設けられた第一の溝部２４ａに第一の側板部１４の端部２５ａを嵌め込み、第三の側板部１６に設けられた第一の溝部２４ｂに第二の側板部１５の端部２５ｂを嵌め込むようにする。また、第一の天板構成部２１ａに設けられた第三の溝部２７ａに第一の側板部１４の端部２６ａの一部を嵌め込み、第一の天板構成部２１ａに設けられた第三の溝部２７ｂに第二の側板部１５の端部２６ｂの一部を嵌め込むようにする。また、第一の折り曲げ部２８ａに設けられた第四の溝部３２ａに第一の側板部１４に設けられた第一の切り欠き部３１ａを構成する壁の一部を嵌め込み、第一の折り曲げ部２１ａに設けられた第四の溝部３２ｂに第二の側板部１５に設けられた第二の切り欠き部３１ｂを構成する壁の一部を嵌め込むようにする。こうすることにより、第一の側板部１４および第二の側板部１５のそれぞれと、第三の側板部１６、第一の天板構成部２１ａ、および第一の折り曲げ部２８ａとの間における密封性を高くすることができる。
【００５２】
このようにして、内部の空間１２、具体的には、第一の領域４６ａにケーキ４７が収容された図１および図２に示す保冷箱１１を組み立てる。
【００５３】
このような構成の保冷箱１１によれば、断熱性を有する板状部材から構成されているため、保管時においては、板状に広げて、例えば、複数枚を重ねて保管することができる。具体的には、図３に示す状態として複数枚を積層することができる。したがって、保管時における省スペース化を図ることができる。すなわち、図１に示す保冷箱１１の状態とすれば、複数個の保冷箱１１を保管しなければならない際に、Ｚ軸方向に大きくスペースを確保する必要がある。しかし、薄板状であれば、複数枚積層したとしても、Ｚ軸方向に嵩張ることはない。また、保冷箱１１を組み立てる際に、第一の嵌め込み部３５ａを第一の凹部３７ａに嵌め込んだ状態とし、底板部１３に対して第一の側板部１４を立設させた状態とすることができる。そうすると、底板部１３に対して第一の側板部１４を立設させた一定の形態を維持することができ、内部の空間１２に収容された保冷用の物体であるケーキ４７を保護することができる。また、この場合、他の側板部である第三の側板部１６側から、ケーキ４７を円滑に内部の空間１２に収容させることができる。したがって、このような保冷箱１１は、保管時に省スペース化を図ることができると共に、組み立て性が良好である。
【００５４】
この場合、第一の嵌め込み部３５ａは、第一の側板部１４の角部に設けられているため、第一の嵌め込み部３５ａを容易に設けることができ、作業性を向上させることができる。
【００５５】
また、この場合、第一の側板部１４、および第二の側板部１５は、外方側の面側が底板部１３に連結され、内方側の面側が開放されて、外方側から内方側に折り曲げ可能に底板部１３に取り付けられているため、組み立て性をより良好にすることができると共に、保冷箱１１を板状部材として保管する際に、適切に平板状とすることができる。
【００５６】
また、この場合、第一の側板部１４と第二の側板部１５とは、対向する位置に配置されている。そして、底板部１３には、第二の側板部１５が配置される位置において厚み方向に凹む第二の凹部が設けられており、第二の側板部１５の底板部１３側の端部には、底板部１３に対して第二の側板部１５が垂直な方向に立設するよう折り曲げた際に、第二の側板部１５の底板部１３に対する立設状態を維持するよう第二の凹部に嵌め込まれる第二の嵌め込み部３５ｂが設けられている構成である。こうすることにより、対向する第一の側板部１４および第二の側板部１５を立設させた状態として、ケーキ４７を空間１２に収容することができる。したがって、このような状態において、ケーキ４７を適切に保持させることができる。すなわち、空間１２を覆う天板部１８を配置しない状態において、第一の側板部１４および第二の側板部１５により、外部からの衝突や変形を防止することができる。
【００５７】
また、この場合、第一の境界部２３ａ、第二の境界部２３ｂ、第三の境界部２３ｃ、第四の境界部２３ｄ、第五の境界部２３ｅ、および第六の境界部２３ｆは、外方側に向かってテーパー状に凹んだ形状であるため、折り曲げ時において、所定の肉厚を有する第三の側板部１６と第一の天板構成部２１ａ等の干渉を防止して、組み立てられた保冷箱１１の隙間を低減することができる。
【００５８】
また、この場合、第一の側板部１４および第二の側板部１５には、第一の折り曲げ部２８ａおよび第二の折り曲げ部２８ｂを折り曲げて嵌め込み可能な第一の切り欠き部３１ａ、および第二の切り欠き部３１ｂが設けられているため、第一の折り曲げ部２８ａと第二の折り曲げ部２８ｂを適切に保持して、空間１２の密封状況を適切に維持することができる。
【００５９】
また、この場合、第一の切り欠き部３１ａおよび第二の切り欠き部３１ｂに嵌め込まれ、所定の肉厚を有する板状のスペーサー１９を備える構成であるため、より確実に空間の密封状態を維持することができると共に、第一の切り欠き部３１ａおよび第二の切り欠き部３１ｂに嵌め込まれた第一の折り曲げ部２８ａおよび第二の折り曲げ部２８ｂの第一の切り欠き部３１ａおよび第二の切り欠き部３１ｂのそれぞれからの脱落を防止することができる。
【００６０】
また、この場合、スペーサー１９には、厚み方向に貫通する貫通孔４４が設けられている。また、スペーサー１９は、第一の切り欠き部３１ａ、および第二の切り欠き部３１ｂに嵌め込まれた際に、底板部１３に達する形状であり、第一の切り欠き部３１ａ、および第二の切り欠き部３１ｂにスペーサー１９を嵌め込むことにより、空間１２は、貫通孔４４で通ずる二つの領域４６ａ、４６ｂの領域に仕切られるため、例えば、空間において、ケーキ４７が配置される領域４６ａと、保冷剤が配置される領域とを離隔して設けることができる。この場合、貫通孔４４、さらには一対のスペーサー凹部４５ａ、４５ｂが設けられる構成であるため、保冷剤からの冷気によりケーキ４７に対する保冷性を高めることができる。
【００６１】
図１３は、空間１２の第二の領域４６ｂに保冷剤を収容させた状態を示す斜視図である。図１３においては、未だ第二の折り曲げ部２８ｂを第一の切り欠き部３１ａ、および第二の切り欠き部３１ｂに嵌め込んでいない状態を示す。
【００６２】
図１３を参照して、保冷箱１１の内部の空間１２において、スペーサー１９によって仕切られた第二の領域４６ｂに、保冷剤４８が配置されている。このような状態とすることにより、保冷剤４８自体がケーキ４７に衝突したり、局部的に保冷剤４８がケーキ４７に当接するといった状態を回避することができ、より適切に保冷箱１１内において、ケーキ４７を収容することができる。
【００６３】
なお、上記した保冷箱１１については、保冷箱１１を使用しない時、すなわち、保管時において、以下のようにすることもできる。図１４は、保冷箱１１の保管時の状態の一例を示す図である。図１４を参照して、保冷箱１１において、図３に示す状態から第一の境界部２３ａにおいて、第三の辺２２ｃを折り目として、保冷箱１１を組み立てる際と逆の向きに折り曲げる。この場合、底板部１３と第三の側板部１６とは、第三の辺２２ｃの領域において、外方側の面に貼付された紙の部分で連結されている構成であるため、スムースに折り曲げることができる。こうすることにより、よりコンパクトに折り畳むことができ、平面的に見てさらに省スペース化を図ることができる。
【００６４】
なお、上記の実施の形態においては、図７に示す形状のスペーサー１９を用いることとしたが、これに限らず、他の形状のスペーサーを用いることとしてもよい。図１５は、この発明の他の実施形態に係る保冷箱に備えられるスペーサーの外観を示す図である。図１５は、図７に対応する。
【００６５】
図１５を参照して、この発明の他の実施形態に係る保冷箱に備えられるスペーサー５１は、スペーサー１９と同様に、一枚の板状の部材から構成されている。スペーサー５１の外形形状は、略矩形状である。スペーサー５１は、Ｙ軸方向で示す幅方向の両端側に位置する一対の爪部５２ａ、５２ｂを含む。爪部５２ａ、５２ｂは、爪部４１ａ、４１ｂと同様に、矢印Ｚで示す向きと逆の向きに延びるように設けられている。爪部５２ａ、５２ｂとスペーサー５１の本体部５３との間には、それぞれＺ軸方向に凹んだスペーサー切り欠き部５４ａ、５４ｂが設けられる。スペーサー５１には、本体部５３において厚み方向に貫通する貫通孔は設けられていない。スペーサー５１のＺ軸方向の長さＬ５は、上記したスペーサー１９のＺ軸方向の長さＬ４よりも短く構成されている。具体的には、例えば、スペーサー５１における長さＬ５を、スペーサー１９における上端部から貫通孔４４に至るまでのＺ軸方向の長さとする。
【００６６】
このように構成することにより、保冷箱１１の内部の一つの空間１２を広く確保することができる。したがって、サイズの大きなケーキ等を収容する際に、好適に使用される。
【００６７】
なお、上記の実施の形態においては、第四の側板部１７の厚みは、第一の側板部１４の厚み等と同等であることとしたが、これに限らず、第四の側板部１７は、第一の側板部１４、第二の側板部１５、および第三の側板部１６のいずれよりも厚く構成されていてもよい。こうすることにより、保冷剤を第二の領域４６ｂに配置させた時に、第四の側板部１７側に配置させた際に、保冷剤４８の保冷機能をより長く維持させることができる。この場合、具体的には、例えば、第四の側板部１７の厚みは、第一の側板部１４の厚みの２倍程度とする。
【００６８】
なお、上記の実施の形態においては、第一の側板部１４に第一の切り欠き部３５ａを設け、第二の側板部１５に第二の切り欠き部３５ｂを設けることとしたが、これに限らず、第一の側板部１４および第二の側板部１５の少なくともいずれか一方に切り欠き部を設ける構成としてもよい。
【００６９】
また、上記の実施の形態において、保冷箱１１は、スペーサー１９、５１を備える構成としたが、これに限らず、保冷箱１１はスペーサー１９、５１を備えない構成としてもよい。なお、上記したスペーサー１９、５１の肉厚についても、底板部１３等と同等でなくともよく、厚みやさらには形状、材質についても必要に応じて、例えば使用する保冷剤の種類や容量によって任意に定められる。さらには、スペーサー１９、５１の厚み等に応じて、切り欠き部３１ａ、３１ｂ等の形状も変化する。
【００７０】
また、上記の実施の形態においては、第一の嵌め込み部３５ａ、および第二の嵌め込み部３５ｂはそれぞれ第一の側板部１４、および第二の側板部１５のうちの第四の側板部１７側の角部に設けることとしたが、これに限らず、第一の側板部１４、および第二の側板部１５に複数の嵌め込み部を設ける構成としてもよい。例えば、第一の側板部１４、および第二の側板部１５のうちの第三の側板部１６側の角部にそれぞれさらに設けることとする。すなわち、第一の側板部１４、および第二の側板部１５の両側の角部に２つずつ嵌め込み部を設けることとしてもよい。こうすることにより、底板部１３に対する第一の側板部１４、第二の側板部１５の立設状態をより安定させることができる。このような構成は、長さＬ２が長くなった場合には、特に有効である。
【００７１】
なお、上記の実施の形態において、第一の境界部２３ａ、第二の境界部２３ｂ、第三の境界部２３ｃ、および第四の境界部２３ｄの全てが、外方側に向かってテーパー状に凹んだ形状であることとしたが、これに限らず、第一の境界部２３ａ、第二の境界部２３ｂ、第三の境界部２３ｃ、および第四の境界部２３ｄのうちの少なくともいずれか一つが、外方側に向かってテーパー状に凹んだ形状であってもよい。
【００７２】
また、上記の実施の形態においては、保冷箱１１の材質は、発泡ポリスチレン樹脂としたが、これに限らず、断熱性を有する部材、例えば、段ボール等であってもよい。
【００７３】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００７４】
本願の保冷箱は、保管時における省スペース化、および良好な組み立て性が求められる場合に、特に有利に適用され得る。
【符号の説明】
【００７５】
１１  保冷箱、１２  空間、１３  底板部、１４  第一の側板部、１５  第二の側板部、１６  第三の側板部、１７  第四の側板部、１８  天板部、１９，５１  スペーサー、２１ａ  第一の天板構成部、２１ｂ  第二の天板構成部、２２ａ  第一の辺、２２ｂ  第二の辺、２２ｃ  第三の辺、２２ｄ  第四の辺、２３ａ  第一の境界部、２３ｂ  第二の境界部、２３ｃ  第三の境界部、２３ｄ  第四の境界部、２３ｅ  第五の境界部、２３ｆ  第六の境界部、２４ａ，２４ｂ  第一の溝部、２４ｃ，２４ｄ  第二の溝部、２５ａ，２５ｂ，２５ｃ，２５ｄ，２６ａ，２６ｂ，３６ｂ  端部、２７ａ，２７ｂ  第三の溝部、２８ａ  第一の折り曲げ部、２８ｂ  第二の折り曲げ部、３１ａ  第一の切り欠き部、３１ｂ  第二の切り欠き部、３２ａ，３２ｂ  第四の溝部、３３ａ，３３ｂ  第五の溝部、３４ａ，３４ｂ  第六の溝部、３５ａ  第一の嵌め込み部、３５ｂ  第二の嵌め込み部、３６ａ  部材、３７ａ  第一の凹部、３７ｂ  第二の凹部、３８ａ  第一の隆起部、３８ｂ  第二の隆起部、３９ａ  部分、３９ｂ  面、４１ａ，４１ｂ，５２ａ，５２ｂ  爪部、４２，５３  本体部、４３ａ，４３ｂ，５４ａ，５４ｂ  スペーサー切り欠き部、４４  貫通孔、４５ａ，４５ｂ  スペーサー凹部、４６ａ，４６ｂ  領域、４７  ケーキ、４８  保冷剤。
【図１】
2019073326.tif 000003
【図２】
2019073326.tif 000004
【図３】
2019073326.tif 000005
【図４】
2019073326.tif 000006
【図５】
2019073326.tif 000007
【図６】
2019073326.tif 000008
【図７】
2019073326.tif 000009
【図８】
2019073326.tif 000010
【図９】
2019073326.tif 000011
【図１０】
2019073326.tif 000012
【図１１】
2019073326.tif 000013
【図１２】
2019073326.tif 000014
【図１３】
2019073326.tif 000015
【図１４】
2019073326.tif 000016
【図１５】
2019073326.tif 000017